(57)【要約】      （修正有）【課題】使用時に手間がかかることなく使い勝手の良いカテーテルケースを提供する。【解決手段】カテーテルを収容するケース本体１１と、別物に引っ掛けて吊り下げるためのフック２０と、を備え、フック２０を別物に引っ掛けるときにフックを使用位置に軸受部３０とフックの軸部２１を拘束可能なロック機構を有する。【選択図】図１
2020162954.tif 000002
【特許請求の範囲】
【請求項１】
カテーテルを収容するケース本体と、該ケース本体に変位可能に設けられ別物に引っ掛けて吊り下げるためのフックと、を備えたカテーテルケースにおいて、
前記フックを別物に引っ掛けるときの使用位置に少なくとも拘束可能なロック機構を有することを特徴とするカテーテルケース。
【請求項２】
前記ロック機構は、前記フックを前記使用位置のほか、使用しないときの格納位置にも拘束可能であることを特徴とする請求項１に記載のカテーテルケース。
【請求項３】
前記フックは、前記ケース本体に回転可能に設けられ、その回転中心となる軸部を有し、
前記ケース本体は、前記軸部を回転可能に支持する軸受部を有し、
前記ロック機構は、前記軸部を前記軸受部に対して前記使用位置と前記格納位置とに拘束可能であることを特徴とする請求項２に記載のカテーテルケース。
【請求項４】
前記ロック機構は、前記軸部に対する回転方向への押圧力により、前記軸部を前記軸受部に対して前記使用位置と前記格納位置とに拘束および拘束解除が可能であることを特徴とする請求項３に記載のカテーテルケース。
【請求項５】
前記軸受部は、前記軸部が回転可能に嵌合する軸穴と、前記軸穴の内周より所定の中心角の範囲で半径方向外側へ一定幅に広がるカム溝と、を有し、
前記軸部は、その外周より半径方向外側に突出して前記カム溝に移動可能に案内されるカムを有し、
前記ロック機構は、少なくとも前記カムと前記カム溝と、から成り、
前記カム溝の両端付近の周縁に、前記カムが前記押圧力により係合しつつ乗り越えた後、前記カムを前記カム溝の端に拘束させる突起がそれぞれ設けられ、
前記カムが前記カム溝の一端に拘束されたとき、前記フックは前記使用位置となり、前記カムが前記カム溝の他端に拘束されたとき、前記フックは前記格納位置となるように設定されたことを特徴とする請求項４に記載のカテーテルケース。
【発明の詳細な説明】
【技術分野】
【０００１】
本発明は、カテーテルを収容するカテーテルケースに関し、特に自己導尿カテーテルの収容に適したものである。
【背景技術】
【０００２】
従来より、導尿カテーテルを収容するカテーテルケースとして、手すり等に引っ掛けるフックを備えた技術が知られている（例えば、特許文献１，２参照）。何れの技術においても、フックは自由に回転するものであり、フックの動きを止める機能は特に備えられていなかった。
【先行技術文献】
【特許文献】
【０００３】
【特許文献１】特開２０１１−１３９８８１号公報
【特許文献２】特許６４５４８３４号公報
【発明の概要】
【発明が解決しようとする課題】
【０００４】
従来のカテーテルケースでは、フックの動きを止める機能がないため、フックを動かないように手で押さえながら手すり等に吊り下げる必要があった。よって、カテーテルケースの使用時に手間がかかり使い勝手が良くなかった。特に自己導尿カテーテルを使用する患者の中には、手の不自由な者もいることから、より簡単な操作で手すり等に吊り下げ易いフックが希求されていた。
【０００５】
本発明は、以上のような従来技術が有する問題点に着目してなされたものであり、フックを手で押さえることなく別物に引っ掛ける使用位置に拘束可能であり、使用時に手間がかかることなく使い勝手の良いカテーテルケースを提供することを目的としている。
【課題を解決するための手段】
【０００６】
前述した目的を達成するための本発明の要旨とするところは、以下の各項の発明に存する。  
［１］カテーテルを収容するケース本体（１１）と、該ケース本体（１１）に変位可能に設けられ別物に引っ掛けて吊り下げるためのフック（２０）と、を備えたカテーテルケース（１０）において、
前記フック（２０）を別物に引っ掛けるときの使用位置に少なくとも拘束可能なロック機構を有することを特徴とするカテーテルケース（１０）。
【０００７】
［２］前記ロック機構は、前記フック（２０）を前記使用位置のほか、使用しないときの格納位置にも拘束可能であることを特徴とする前記［１］に記載のカテーテルケース（１０）。
【０００８】
［３］前記フック（２０）は、前記ケース本体（１１）に回転可能に設けられ、その回転中心となる軸部（２１）を有し、
前記ケース本体（１１）は、前記軸部（２１）を回転可能に支持する軸受部（３０）を有し、
前記ロック機構は、前記軸部（２１）を前記軸受部（３０）に対して前記使用位置と前記格納位置とに拘束可能であることを特徴とする前記［２］に記載のカテーテルケース（１０）。
【０００９】
［４］前記ロック機構は、前記軸部（２１）に対する回転方向への押圧力により、前記軸部（２１）を前記軸受部（３０）に対して前記使用位置と前記格納位置とに拘束および拘束解除が可能であることを特徴とする前記［３］に記載のカテーテルケース（１０）。
【００１０】
［５］前記軸受部（３０）は、前記軸部（２１）が回転可能に嵌合する軸穴（３１）と、前記軸穴（３１）の内周より所定の中心角の範囲で半径方向外側へ一定幅に広がるカム溝（３２）と、を有し、
前記軸部（２１）は、その外周より半径方向外側に突出して前記カム溝（３２）に移動可能に案内されるカム（２４）を有し、
前記ロック機構は、少なくとも前記カム（２４）と前記カム溝（３２）と、から成り、
前記カム溝（３２）の両端付近の周縁に、前記カム（２４）が前記押圧力により係合しつつ乗り越えた後、前記カム（２４）を前記カム溝（３２）の端に拘束させる突起（３３）がそれぞれ設けられ、
前記カム（２４）が前記カム溝（３２）の一端に拘束されたとき、前記フック（２０）は前記使用位置となり、前記カム（２４）が前記カム溝（３２）の他端に拘束されたとき、前記フック（２０）は前記格納位置となるように設定されたことを特徴とする前記［４］に記載のカテーテルケース（１０）。
【００１１】
次に、前述した解決手段に基づく作用を説明する。
前記［１］に記載のカテーテルケース（１０）では、ケース本体（１１）を例えば手すり等の別物に吊り下げるときは、フック（２０）を別物に引っ掛ける。ここでフック（２０）は、ケース本体（１１）に対して変位するが、ロック機構により、フック（２０）を別物に引っ掛ける使用位置に拘束することができる。
【００１２】
これにより、フック（２０）を別物に引っ掛けるときに、フック（２０）を使用位置に手で押さえて変位を止める必要はない。すなわち、ロック機構により使用位置に拘束されているフック（２０）を、そのまま別物に容易に引っ掛けることが可能となり、カテーテルケース（１０）の使い勝手が向上する。
【００１３】
前記［２］に記載のカテーテルケース（１０）によれば、ロック機構は、フック（２０）を使用位置のほか、使用しないときの格納位置にも拘束可能である。これにより、フック（２０）を使用しないときは、フック（２０）が例えばカテーテルケース（１０）から出っ張らずにコンパクトに重なるような格納位置に拘束しておくこともできる。そのため、カテーテルケース（１０）を嵩張らない状態で携帯したり収納することができ、いっそうカテーテルケース（１０）の使い勝手が向上する。
【００１４】
前記［３］に記載のカテーテルケース（１０）によれば、フック（２０）にある軸部（２１）がケース本体（１１）にある軸受部（３０）に支持されることで、フック（２０）はケース本体（１１）に対して回転（変位の一種）する。よって、フック（２０）は様々な位置に回転するが、この回転可能な範囲内に、引っ掛け易い使用位置や嵩張らない格納位置が含まれる。
【００１５】
ロック機構は、軸部（２１）を軸受部（３０）に対して使用位置と格納位置とに拘束可能である。すなわち、ロック機構は、軸部（２１）と軸受部（３０）とにおいて、フック（２０）の回転を拘束するものであり、軸部（２１）と軸受部（３０）という限られた箇所にまとめて構成することができる。
【００１６】
前記［４］に記載のカテーテルケース（１０）によれば、ロック機構は、軸部（２１）に対する回転方向への押圧力により、軸部（２１）を軸受部（３０）に対して使用位置と格納位置とに拘束および拘束解除が可能である。よって、ロック機構では特別な操作は不要となる。
【００１７】
フック（２０）を単に回転させれば、軸部（２１）に対する回転方向への押圧力が生じる。このような極めて簡単な操作だけで、軸部（２１）を軸受部（３０）に対してフック（２０）の使用位置と格納位置とに拘束したり拘束解除することができる。
【００１８】
前記［５］に記載のカテーテルケース（１０）によれば、軸穴（３１）の内周にはカム溝（３２）があり、軸部（２１）の外周にはカム（２４）があり、軸部（２１）は軸受部（３０）に対して、カム（２４）がカム溝（３２）内を移動しつつ案内される範囲で回転する。
【００１９】
カム溝（３２）の両端付近の周縁にはそれぞれ突起（３３）がある。軸部（２１）を回転させる押圧力により、軸部（２１）の回転と共にカム（２４）はカム溝（３２）内を移動する。カム（２４）がカム溝（３２）の両端付近にある突起（３３）に当接したとき、前記押圧力が勝ると、カム（２４）やカム溝（３２）の弾性変形や両者間の遊びによって、カム（２４）は突起（３３）に係合しつつ乗り越えた後、カム溝（３２）の端と突起（３３）の間に拘束される。
【００２０】
ここでカム（２４）がカム溝（３２）の一端に拘束されたとき、フック（２０）は使用位置となる。一方、カム（２４）がカム溝（３２）の他端に拘束されたとき、フック（２０）は格納位置となる。このような簡易な構成のロック機構により、フック（２０）を確実に使用位置と格納位置とに拘束することができる。なお、カム（２４）の拘束を解除するには、カム（２４）を拘束させた方向とは逆方向へ前記押圧力をもって回転させれば足りる。
【発明の効果】
【００２１】
本発明に係るカテーテルケースによれば、フックを手で押さえることなく別物に引っ掛ける使用位置に拘束可能であり、使用時に手間がかかることなく使い勝手を良くすることができる。
【図面の簡単な説明】
【００２２】
【図１】本発明の実施形態に係るカテーテルケースのフックが使用状態にある正面図である。
【図２】本発明の実施形態に係るカテーテルケースを２つ折りにしてフックを格納状態にした正面図である。
【図３】本発明の実施形態に係るカテーテルケースのケース本体の上端部を拡大して示す（ａ）正面図と（ｂ）右側面図である。
【図４】本発明の実施形態に係るカテーテルケースのケース本体の装着部を拡大して示す正面図である。
【図５】本発明の実施形態に係るカテーテルケースのケース本体の装着部を拡大して示す背面図である。
【図６】本発明の実施形態に係るカテーテルケースのケース本体の装着部を拡大して示す右側面図である。
【図７】本発明の実施形態に係るカテーテルケースのケース本体の装着部を拡大して示す平面図である。
【図８】本発明の実施形態に係るカテーテルケースのケース本体の装着部を拡大して示す底面図である。
【図９】図５のIX−IX線断面図である。
【図１０】図５のＸ−Ｘ線断面図である。
【図１１】本発明の実施形態に係るカテーテルケースのケース本体の装着部にある軸受部を拡大して示す正面図である。
【図１２】本発明の実施形態に係るカテーテルケースのケース本体の装着部にある軸受部に対する軸部の位置を示す説明図である。
【図１３】図４のXIII−XIII線断面図である。
【図１４】本発明の実施形態に係るカテーテルケースのフックを拡大して示す正面図である。
【図１５】本発明の実施形態に係るカテーテルケースのフックを拡大して示す平面図である。
【図１６】図１５のXVI−XVI線断面図である。
【図１７】本発明の実施形態に係るカテーテルケースのフックの軸部を拡大して示す正面図である。
【図１８】本発明の実施形態に係るカテーテルケースのケース本体の装着部に対する軸受部の嵌合を裏側から見た背面図である。
【発明を実施するための形態】
【００２３】
以下、図面に基づき本発明を代表する実施形態を説明する。
図１〜図１８は、本発明の実施形態を示している。
＜カテーテルケース１０の概要＞
本実施形態に係るカテーテルケース１０は、カテーテルを収容する容器である。カテーテルケース１０は、ケース本体１１と、フック２０と、を備えている。ここでカテーテルは、体内に挿入して使用する医療具であり、例えば患者自身が使用するものとして、尿道に挿入して導尿するための自己導尿カテーテル等、様々な種類がある。以下、本実施形態では、導尿カテーテルを収容するカテーテルケース１０を例に説明する。なお、導尿カテーテル自体については、一般的であるので詳細な説明は省略する。
【００２４】
＜ケース本体１１について＞
図１に示すように、ケース本体１１は、カテーテルを収容する部位であり、例えば長尺管状であり、透明ないし半透明の合成樹脂等で形成されている。ケース本体１１は、下端部が封止され、上端部は開口している。本実施形態では、ケース本体１１の中央部１２が屈曲自在な蛇腹状に形成されている。図２に示すように、中央部１２を折り曲げることで、カテーテルケース１０全体を、２つ折りにしたコンパクトな状態にすることができる。ただし、ケース本体１１を単に直線状に延びる管状とし、屈曲しないように構成してもかまわない。
【００２５】
ケース本体１１は、その上端部および下端部と中央部１２を除いて、例えば正六角形断面の管状に形成されている。ケース本体１１の内部には、消毒液を満たした状態でカテーテルを収容するが、消毒液の量はできる限り少ないことが望ましい。そこで、ケース本体１１を正六角形断面とすることにより、持ち易さを考慮して設計されたケース本体１１の最大外径を変えることなく、内部の容量を削減している。すなわち、所定の円形と同一外径の正六角形を円形内に内接させたとき、正六角形の各辺外側である弦と弧の間の弓形部分の断面積の分だけ、消毒液の量を減らすことができる。
【００２６】
ケース本体１１の開口した上端部には、カテーテルの出入口をなし、この出入口を塞ぐキャップ（図示せず）を着脱可能な別体の装着部１３が固定されている。図４〜図１０に示すように、装着部１３は、例えば略筒状であり合成樹脂等で形成されている。図９に示すように、装着部１３の下半側内部には、ケース本体１１の上端部に圧入させる内側管部１４が設けられている。図３に示すように、ケース本体１１の上端部外周には、軸心を間にして両側上下に並ぶスナップフィットの突起１１ａ，１１ｂが一対ずつ設けられている。また、ケース本体１１の上端部外周で両側の各突起１１ａ，１１ｂの間には、軸方向と平行な突条１１ｃが設けられている。
【００２７】
図９に示すように、装着部１３の下半側には、ケース本体１１の上端部外周にある突起１１ａ，１１ｂが合致する位置に取付孔１５ａ，１５ｂが設けられている。突起１１ａ，１１ｂが取付孔１５ａ，１５ｂに内側から係合することで、ケース本体１１の上端部は装着部１３の下半側に対して、内側管部１４の圧入と相俟って強固に固定される。また、装着部１３の下半側内周には、ケース本体１１の上端部外周にある突条１１ｃが合致する位置に軸方向と平行な凹溝１５ｃが設けられている。突条１１ｃが凹溝１５ｃに案内されることで、ケース本体１１の上端部は装着部１３に対して、軸心周りに回転不能となる。
【００２８】
図４に示すように、装着部１３の上半側外周には、図示省略したキャップを着脱可能にネジ止めするための雄ネジ１６が突設されている。また、装着部１３の上半側外周において雄ネジ１６の下側には、周方向に亘る環状突起１６ａが設けられている。環状突起１６ａは、キャップの内周にある突起が乗り上げることで、締め付け終了時のクリック感を生じさせるものである。
【００２９】
ここでキャップは、高い密閉性を備えて着脱が容易なものであれば、ネジ止めするスクリュー式のキャップに限られるものではない。また、キャップ自体にヒンジで連なる開閉可能なフタを備えるようにしても良い。なお、図３に示すように、装着部１３を固定するケース本体１１の上端部外周には、装着部１３の取付位置を定めるフランジ１１ｄが設けられている。
【００３０】
＜フック２０の軸受部３０について＞
図４および図５に示すように、装着部１３には、フック２０を回転可能に支持する軸受部３０が設けられている。軸受部３０は、例えば装着部１３の下半側外周の一端より側方に延出しており、後述するフック２０の軸部２１が回転可能に嵌合する軸穴３１を備えている。軸穴３１の一端開口側には、軸穴３１の内周より所定の中心角の範囲で半径方向外側へ一定幅に広がるカム溝３２が設けられている。
【００３１】
図１１〜図１３に示すように、カム溝３２は、その一端３２ａから他端３２ｂに亘って、後述する軸部２１にあるカム２４が移動可能に案内され、軸部２１の回転角度を規制するものである。カム溝３２の一端３２ａより中央寄り近傍の外側周縁には、半径方向内側に出っ張る突起３３ａが設けられている。同様に、カム溝３２の他端３２ｂの中央寄り近傍の外側周縁にも、半径方向内側に出っ張る突起３３ｂが設けられている。各突起３３ａ，３３ｂは、それぞれ対向する側にある後述のカム２４が押圧力によって弾発的に係合して乗り越えるものである。
【００３２】
また、図１３に示すように、軸穴３１の他端開口側には、軸穴３１の内径よりも大きな内径に広がる大径部３４が設けられている。大径部３４は、後述する軸部２１にある爪２５ａを円周方向に移動可能とするものである。なお、軸穴３１の縦断面は、その一端開口より他端開口に向かって僅かに先窄まりとなるテーパー状に形成されている。
【００３３】
＜フック２０について＞
図１４および図１５に示すように、フック２０は、その回転中心となる軸部２１と、軸部２１より一方向に少し延出した後すぐに屈曲して直線状に延びる支持部２６と、支持部２６の先端より鈎状に連なる掛止部２７と、を備えている。軸部２１は、直近に連なる支持部２６の基端より、その軸心と直交する方向に突出している。
【００３４】
詳しく言えば軸部２１は、図１７に示すように、土台２２の先のフランジ２３より先端側が、前記軸孔３１に嵌合する外径に形成されている。軸部２１においてフランジ２３に連なる基端外周には、前記カム溝３２に移動可能に案内されるカム２４が半径方向外側に突設されている。図１６に示すように、本実施形態におけるカム２４は、円周方向の離れた位置に２つ設けられている。
【００３５】
２つのカム２４（２４ａ，２４ｂ）の軸心に対する中心角は、前記カム溝３２の中心角より小さいくなるように定められている。従って、軸部２１は、一方のカム２４ａがカム溝３２の一端３２ａに当接する位置（図１２（ａ）参照）と、他方のカム２４ｂがカム溝３２の他端３２ｂに当接する位置（図１２（ｂ）参照）との間で回転可能となっている。
【００３６】
一方のカム２４ａは、カム溝３２の一端３２ａに当接するとき、その手前にある突起３３ａを押圧力によって載り越えるものである。カム２４ａが突起３３ａを乗り越えカム溝３２の一端３２ａに当接すると、カム２４ａはカム溝３２内で一端３２ａと突起３３ａの間に保持され、結果として、軸部２１（フック２０）は当該位置に拘束される。
【００３７】
同様に、他方のカム２４ｂは、カム溝３２の他端３２ｂに当接するとき、その手前にある突起３３ｂを押圧力によって載り越えるものである。カム２４ｂが突起３３ｂを乗り越えカム溝３２の他端３２ｂに当接すると、カム２４ｂはカム溝３２内で他端３２ｂと突起３３ｂの間に保持され、結果として、軸部２１（フック２０）は当該位置に拘束される。
【００３８】
本実施形態では、一方のカム２４ａがカム溝３２の一端３２ａに当接する位置が、図１に示すフック２０の使用位置となる。また、他方のカム２４ｂがカム溝３２の他端３２ｂに当接する位置が、図２に示すフック２０の格納位置となるように、軸部２１および軸受部３０の各部位の位置関係が定められている。
【００３９】
カム２４とカム溝３２は、フック２０を少なくとも使用位置に拘束可能なロック機構を構成している。本実施形態では、ロック機構は、フック２０を使用位置のほか格納位置にも拘束可能である。ここでカム２４ａ，２４ｂが、それぞれ突起３３ａ，３３ｂを載り越えるために必要な押圧力は、各部位の具体的な寸法や遊びにより適宜定め得る設計事項であるが、フック２０の自重による回転の押圧力では足りずに、積極的にある程度の力で回転させなければ、拘束および拘束解除されないように設定されている。
【００４０】
さらに詳しく言えば、図１２に示すように、カム２４ａ，２４ｂは、カム溝３２の両端３２ａ，３２ｂにそれぞれ当接する端面の頂端より反対側（互いに対向する側）へ２段のテーパー状に傾斜するように形成されている。一方、カム２４ａ，２４ｂが係脱する突起３３ａ，３３ｂは円弧形断面であり、その前後からの係合に違いはない。
【００４１】
従って、カム２４ａ，２４ｂは、それぞれ端面から突起３３ａ，３３ｂを載り越えさせて拘束するときよりも、端面の反対側から突起３３ａ，３３ｂを載り越えさせて拘束解除するときの方が、小さな押圧力で済むように設計されている。もちろん、このような設計事項は適宜変更しても良い。なお、各カム２４ａ，２４ｂの間における軸部２１の外周は、軸部２１の基準外周よりも前記突起３３ａ，３３ｂに干渉しない範囲で大きな外径に形成しても良い。
【００４２】
また、図１７に示すように、軸部２１の先端側は、軸受部３０に嵌合させた状態で抜け止めとなるクリップ２５として形成されている。軸部２１の先端側は、直径方向に溝が切られて２分割され、その両側外周にスナップフィットをなす爪２５ａが突設されている。ここで軸部２１においてフランジ２３に連なる基端から爪２５ａまでの長さは、軸受部３０における軸穴３１の深さに合致している。爪２５ａは、軸穴３１の他端開口側に係合して抜け止めとなる。なお、軸部２１の回転に伴って、爪２５ａは前述した大径部３４内を移動可能となっている。
【００４３】
図１４に示すように、フック２０の支持部２６は、軸部２１と掛止部２７とを間隔をあけて連結する部位である。支持部２６は、必ずしも直線状に延びる形状でなくてもかまわない。また、支持部２６を次述する掛止部２７の一部として構成しても良い。本実施形態の支持部２６は、軸部２１の軸心に対して直交し、かつ２つのカム２４ａ，２４ｂの間の中心線に沿う方向へ少し延出した後、すぐに屈曲して直線状に延びている。
【００４４】
図１に示すように、フック２０が使用位置にあるとき、支持部２６の直線状に延びる主要部分は、ケース本体１１の軸心と平行に延びており、次述する掛止部２７は、装着部１３の側方に向かって開いている。一方、図２に示すように、フック２０が格納位置にあるとき、支持部２６の直線状に延びる主要部分は、ケース本体１１の軸心に対して図示した角度で交差しており、掛止部２７は、２つに折り曲げられたケース本体１１の間に収まっている。
【００４５】
図１４に示すように、フック２０の掛止部２７は、手すりや隙間等の別物に直接引っ掛けて吊り下げる部位である。掛止部２７は、例えば軸部２１の土台２２より、その軸心と同一平面上で円弧状に湾曲するように形成されている。ここで掛止部２７が展開する平面は、軸部２１の軸心と直交する位置関係となっている。
【００４６】
掛止部２７は、例えば弾性変形が可能な材質によって形成することにより、その円弧状の直径よりも大きな外径の手すり等にも掛止できるようにすると良い。なお、掛止部２７の具体的な形状や大きさは、図示した円弧状のものに限らず、手すりや隙間等の別物に吊り下げることができれば特に限定されることはない。
＜ホルダー４０について＞
図４および図７に示すように、装着部１３の下半側外周において前記軸受部３０の反対側（他端）には、ケース本体１１の下端を係止可能なホルダー４０が設けられている。ホルダー４０は、例えば装着部１３の下半側外周の他端より側方に延出した支持部４１と、支持部４１の先端に一体に設けられてケース本体１１の下端外周に弾発的に外嵌可能な略Ｃ字断面の把持部４２と、を備えている。
【００４７】
一方、図２に示すように、ケース本体１１の下端には、把持部４２の内周より若干大きな外径の円形断面をなす被係止部１７が形成されている。被係止部１７の上下端には、把持部４２の位置ずれを防ぐフランジ１８，１９が設けられている。なお、ホルダー４０は、ケース本体１１の下端に係脱可能であれば他の構成であってもかまわない。
【００４８】
次に、本実施の形態に係るカテーテルケース１０の作用について説明する。  
カテーテルケース１０を使用するときは、図１に示すように、ケース本体１１の中央部１２を真っ直ぐ延ばした状態にして、ケース本体１１を例えば手すり等の別物に吊り下げるために、フック２０を別物に引っ掛ければ良い。ここでフック２０は、ケース本体１１に対して回転可能であるが、ロック機構により、フック２０を別物に引っ掛ける使用位置に拘束することができる。
【００４９】
すなわち、フック２０を図１に示す使用位置まで回転させると、図１２（ａ）において、軸部２１にある一方のカム２４ａが、カム溝３２の突起３３ａを回転時の押圧力によって載り越えた後、カム溝３２の一端３２ａに当接する。すると、カム２４ａはカム溝３２内で一端３２ａと突起３３ａの間に保持され、結果として、軸部２１（フック２０）は当該位置に拘束される。その後はフック２０から手を離しても、フック２０が自重だけで回転してしまうことはない。
【００５０】
これにより、フック２０を手すり等に引っ掛けるときに、フック２０を使用位置に手で押さえて変位を止める必要はない。すなわち、ロック機構により使用位置に拘束されているフック２０を、そのまま手すり等に容易に引っ掛けることが可能となり、カテーテルケース１０の使い勝手が向上する。手すり等に吊り下げられたケース本体１１は、フック３０から鉛直方向に垂下するため、ケース本体１１の内部に満たされた消毒液が装着部１３からこぼれないように操作することができる。
【００５１】
ケース本体１１の内部から導尿カテーテルを取り出すには、装着部１３からキャップ（図示せず）を外す。あるいは、キャップに開閉可能なフタがある場合は、このフタを開ける。ケース本体１１の内部には消毒液が満たされているが、ケース本体１１は吊り下げられた状態にあり、上方に位置する装着部１３から消毒液がこぼれないように操作することも容易となる。導尿カテーテルを使用した後にケース本体１１の内部に収容するには、導尿カテーテルを先端からケース本体１１の装着部１３の出入口に入れる。その後、装着部１３に再びキャップ（図示せず）を装着したり、あるいはキャップにあるフタを閉じれば良い。
【００５２】
カテーテルケース１０の使用が終了したら、ケース本体１１の中央部１２を折り曲げて、装着部１３にあるホルダー４０をケース本体１１の下端にある被係止部１７に外嵌させる。これにより、カテーテルケース１０全体をコンパクトに２つ折りにした状態に保持することができる。本実施形態では、ロック機構により、フック２０を使用位置のほか、使用しないときの格納位置にも拘束可能である。
【００５３】
すなわち、フック２０を図２に示す格納位置まで回転させると、図１２（ｂ）において、軸部２１にある他方のカム２４ｂが、カム溝３２の突起３３ｂを回転時の押圧力によって載り越えた後、カム溝３２の他端３２ｂに当接する。すると、カム２４ｂはカム溝３２内で他端３２ｂと突起３３ｂの間に保持され、結果として、軸部２１（フック２０）は当該位置に拘束される。
【００５４】
ここでフック２０を使用位置から格納位置まで回転させれば、このとき軸部２１にかかる押圧力により、フック２０の使用位置での拘束は解除される。また、フック２０を格納位置から使用位置まで回転させれば、このとき軸部２１にかかる押圧力により、フック２０の格納位置での拘束は解除されることになる。
【００５５】
フック２０を使用しないときは、フック２０がカテーテルケース１０から出っ張らずにコンパクトに重なる格納位置に拘束しておけば良い。これにより、カテーテルケース１０を嵩張らない状態で携帯したり収納することができ、いっそうカテーテルケース１０の使い勝手が向上する。
【００５６】
以上のように、本カテーテルケース１０によれば、ロック機構は、軸部２１に対する回転方向への押圧力により、軸部２１を軸受部３０に対して使用位置と格納位置とに拘束および拘束解除が可能である。よって、ロック機構では特別な操作は不要となる。フック２０を単に回転させれば、軸部２１に対する回転方向への押圧力が生じる。
【００５７】
このような極めて簡単な操作だけで、軸部２１を軸受部３０に対してフック２０の使用位置と格納位置とに拘束したり拘束解除することができる。しかも、ロック機構は、軸部２１と軸受部３０とにおいて、フック２０の回転を拘束するものであり、軸部２１と軸受部３０という限られた箇所にまとめて簡易に構成することができる。
【００５８】
以上、本発明の実施形態を図面によって説明してきたが、具体的な構成は前述した実施形態に限られるものではなく、本発明の要旨を逸脱しない範囲における変更や追加があっても本発明に含まれる。例えば、ケース本体１１やフック２０の具体的な形状や相対的な大きさは、図示したものに限定されることはない。また、カテーテルは、必ずしも自己導尿カテーテルに限られるものではない。
【００５９】
また、前記実施形態ではカムは２つであるが、１つにまとめて構成しても良い。この場合は、２つのカムの間の凹みをなくして、カムの頂端の半径のままで円弧状に延びるものとなるが、カムの両端付近には、カム溝側の突起が係脱する凹みを設けることになる。あるいは、１つのカムの円周方向の長さを短くすると共に、カム溝の中心角を狭めて円周方向の長さを短くするように構成することも考えられる。
【産業上の利用可能性】
【００６０】
本発明に係るカテーテルケースは、自己導尿カテーテルの収容に限られることなく、様々な用途のカテーテルを収容するカテーテルケースに適用することができる。
【符号の説明】
【００６１】
１０…カテーテルケース
１１…ケース本体
１２…中央部
１３…装着部
２０…フック
２１…軸部
２２…土台
２３…フランジ
２４ａ，２４ｂ…カム
２５…クリップ
２５ａ…爪
２６…支持部
２７…掛止部
３０…軸受部
３１…軸穴
３２…カム溝
３３ａ，３３ｂ…突起
４０…ホルダー
４１…支持部
４２…把持部
【図１】
2020162954.tif 000003
【図２】
2020162954.tif 000004
【図３】
2020162954.tif 000005
【図４】
2020162954.tif 000006
【図５】
2020162954.tif 000007
【図６】
2020162954.tif 000008
【図７】
2020162954.tif 000009
【図８】
2020162954.tif 000010
【図９】
2020162954.tif 000011
【図１０】
2020162954.tif 000012
【図１１】
2020162954.tif 000013
【図１２】
2020162954.tif 000014
【図１３】
2020162954.tif 000015
【図１４】
2020162954.tif 000016
【図１５】
2020162954.tif 000017
【図１６】
2020162954.tif 000018
【図１７】
2020162954.tif 000019
【図１８】
2020162954.tif 000020